(57)【要約】【課題】出湯温度の変更の煩雑さを解消する。【解決手段】温度調整弁（３５ｓ）は、給湯配管（３５ｄ）からの温水流入量と給水配管（３５ａ）からの原水流入量とを調整可能に構成された電動調整弁であって、温水流入量と原水流入量との調整状態に応じた出湯温度の取出温水を排出する。温水取出部（３４）は、取出温水を筐体（３１）の外部に取り出し可能に、温水取出配管（３５ｄ３）を介して温度調整弁と接続されている。流量調整部（３５ｕ）は、温水取出配管における取出温水の流量である取出流量を調整可能に、取出温水の通流経路に設けられている。検出部（３８）は、取出流量に対応する出力を発生する。制御装置（３６）は、検出部における出力の特定の変化状態を検知した場合に、温度調整弁における温水流入量と原水流入量との調整状態を変更することで出湯温度を変更する。【選択図】図１
2019032136.tif 000002
【特許請求の範囲】
【請求項１】
貯湯式給湯機（３）であって、
温水を貯留可能に構成された貯湯タンク（３２）と、
前記貯湯タンクを収容するように構成された筐体（３１）と、
前記筐体の外部に設けられた給水源に接続されることで、前記温水に加熱される前の原水を導入可能に、前記筐体内に設けられた給水配管（３５ａ）と、
前記筐体内に設けられていて、前記貯湯タンクに貯留された前記温水を前記貯湯タンクの外部に取り出し可能に前記貯湯タンクと接続された給湯配管（３５ｄ）と、
前記給湯配管からの温水流入量と前記給水配管からの原水流入量とを調整可能に構成された電動調整弁であって、前記温水流入量と前記原水流入量との調整状態に応じた出湯温度の取出温水を排出するように設けられた温度調整弁（３５ｓ）と、
前記筐体に固定されていて、前記温度調整弁から排出された前記取出温水を前記筐体の外部に取り出し可能に、前記取出温水の通流経路を構成する温水取出配管（３５ｄ３）を介して前記温度調整弁と接続された温水取出部（３４）と、
前記温水取出配管における前記取出温水の流量である取出流量を調整可能に、前記取出温水の通流経路に設けられた流量調整部（３５ｕ、６１、６３）と、
前記取出流量に対応する出力を発生するように設けられた検出部（３８）と、
前記検出部における前記出力の特定の変化状態を検知した場合に前記調整状態を変更することで前記出湯温度を変更するように、前記検出部及び前記温度調整弁と電気接続された制御装置（３６）と、
を備えた貯湯式給湯機。
【請求項２】
前記制御装置は、前記変化状態を、前記出力の変化の回数又は時間に基づいて検知する、
請求項１に記載の貯湯式給湯機。
【請求項３】
前記制御装置は、検知した前記変化状態と、あらかじめ記憶した前記変化状態と前記調整状態との対応関係とに基づいて、前記調整状態を変更する、
請求項１又は２に記載の貯湯式給湯機。
【請求項４】
前記流量調整部は、前記温水取出部と外部配管（６２）を介して接続された温水利用部（６０）に設けられた電動式のアクチュエータ（６３）であり、
前記温水利用部には、前記出湯温度の設定を含むユーザの入力操作を受け付ける温度操作部（６４）が設けられ、
前記制御装置は、前記アクチュエータの動作に基づいて作出された前記取出温水の流量変化に応じて、前記変化状態を検知する、
請求項１〜３のいずれか１つに記載の貯湯式給湯機。
【請求項５】
前記出湯温度の設定を含むユーザの入力操作を受け付ける入力装置（３７）をさらに備え、
前記制御装置は、前記ユーザによる許可入力操作を受け付けた場合に、前記変化状態の検知に基づいて前記出湯温度を変更する、
請求項１〜４のいずれか１つに記載の貯湯式給湯機。
【請求項６】
外部に設けられた給水源から導入された原水を含む低温水を加熱することで温水を生成するように構成された温水生成装置（２）と、
前記温水生成装置により生成された前記温水を貯留可能に構成された貯湯タンク（３２）を備えた貯湯式給湯機（３）と、
を備えた給湯システム（１）であって、
前記貯湯式給湯機は、
前記貯湯タンクを収容するように構成された筐体（３１）と、
前記筐体の外部に設けられた前記給水源に接続されることで前記原水を導入可能に、前記筐体内に設けられた給水配管（３５ａ）と、
前記筐体内に設けられていて、前記貯湯タンクに貯留された前記温水を前記貯湯タンクの外部に取り出し可能に前記貯湯タンクと接続された給湯配管（３５ｄ）と、
前記給湯配管からの温水流入量と前記給水配管からの原水流入量とを調整可能に構成された電動調整弁であって、前記温水流入量と前記原水流入量との調整状態に応じた出湯温度の取出温水を排出するように設けられた温度調整弁（３５ｓ）と、
前記筐体に固定されていて、前記温度調整弁から排出された前記取出温水を前記筐体の外部に取り出し可能に、前記取出温水の通流経路を構成する温水取出配管（３５ｄ３）を介して前記温度調整弁と接続された温水取出部（３４）と、
前記温水取出配管における前記取出温水の流量である取出流量を調整可能に、前記取出温水の通流経路に設けられた流量調整部（３５ｕ、６１、６３）と、
前記取出流量に対応する出力を発生するように設けられた検出部（３８）と、
前記検出部における前記出力の特定の変化状態を検知した場合に前記調整状態を変更することで前記出湯温度を変更するように、前記検出部及び前記温度調整弁と電気接続された制御装置（３６）と、
をさらに備えた給湯システム。
【請求項７】
前記制御装置は、前記変化状態を、前記出力の変化の回数又は時間に基づいて検知する、
請求項６に記載の給湯システム。
【請求項８】
前記制御装置は、検知した前記変化状態と、あらかじめ記憶した前記変化状態と前記調整状態との対応関係とに基づいて、前記調整状態を変更する、
請求項６又は７に記載の給湯システム。
【請求項９】
前記流量調整部は、前記温水取出部と外部配管（６２）を介して接続された温水利用部（６０）に設けられた電動式のアクチュエータ（６３）であり、
前記温水利用部には、前記出湯温度の設定を含むユーザの入力操作を受け付ける温度操作部（６４）が設けられ、
前記制御装置は、前記アクチュエータの動作に基づいて作出された前記取出温水の流量変化に応じて、前記変化状態を検知する、
請求項６〜８のいずれか１つに記載の給湯システム。
【請求項１０】
前記出湯温度の設定を含むユーザの入力操作を受け付ける入力装置（３７）をさらに備え、
前記制御装置は、前記ユーザによる許可入力操作を受け付けた場合に、前記変化状態の検知に基づいて前記出湯温度を変更する、
請求項６〜９のいずれか１つに記載の給湯システム。
【発明の詳細な説明】
【技術分野】
【０００１】
本発明は、貯湯式給湯機及びこれを備えた給湯システムに関する。
【背景技術】
【０００２】
内部に温水を貯留する貯湯タンクと、貯湯タンクを収容する筐体とを備え、貯湯タンク内に貯留された温水を供給する貯湯式給湯機において、貯湯タンク内に貯留された温水を取り出す取出口を筐体に設けた構成が知られている（例えば、特許文献１参照）。
【先行技術文献】
【特許文献】
【０００３】
【特許文献１】特開２０１２−２４０７号公報
【発明の概要】
【発明が解決しようとする課題】
【０００４】
特許文献１に記載の構成においては、取出口から取り出される温水の温度を変更するためには、従来の貯湯式給湯機が備えているリモコンが用いられる。このため、例えば、ユーザが、貯湯タンクが設置されている屋外にて温水を利用中に、温水の温度を変更しようとした場合、温水の利用を一旦中断して、わざわざリモコン設置場所まで移動する必要があった。本発明は、上記に例示した事情等に鑑みてなされたものである。
【課題を解決するための手段】
【０００５】
請求項１に記載の貯湯式給湯機（３）は、
温水を貯留可能に構成された貯湯タンク（３２）と、
前記貯湯タンクを収容するように構成された筐体（３１）と、
前記筐体の外部に設けられた給水源に接続されることで、前記温水に加熱される前の原水を導入可能に、前記筐体内に設けられた給水配管（３５ａ）と、
前記筐体内に設けられていて、前記貯湯タンクに貯留された前記温水を前記貯湯タンクの外部に取り出し可能に前記貯湯タンクと接続された給湯配管（３５ｄ）と、
前記給湯配管からの温水流入量と前記給水配管からの原水流入量とを調整可能に構成された電動調整弁であって、前記温水流入量と前記原水流入量との調整状態に応じた出湯温度の取出温水を排出するように設けられた温度調整弁（３５ｓ）と、
前記筐体に固定されていて、前記温度調整弁から排出された前記取出温水を前記筐体の外部に取り出し可能に、前記取出温水の通流経路を構成する温水取出配管（３５ｄ３）を介して前記温度調整弁と接続された温水取出部（３４）と、
前記温水取出配管における前記取出温水の流量である取出流量を調整可能に、前記取出温水の通流経路に設けられた流量調整部（３５ｕ、６１、６３）と、
前記取出流量に対応する出力を発生するように設けられた検出部（３８）と、
前記検出部における前記出力の特定の変化状態を検知した場合に前記調整状態を変更することで前記出湯温度を変更するように、前記検出部及び前記温度調整弁と電気接続された制御装置（３６）と、
を備えている。
【０００６】
請求項６に記載の給湯システム（１）は、
外部に設けられた給水源から導入された原水を含む低温水を加熱することで温水を生成するように構成された温水生成装置（２）と、
前記温水生成装置により生成された前記温水を貯留可能に構成された貯湯タンク（３２）を備えた貯湯式給湯機（３）と、
を備え、
前記貯湯式給湯機は、
前記貯湯タンクを収容するように構成された筐体（３１）と、
前記筐体の外部に設けられた前記給水源に接続されることで前記原水を導入可能に、前記筐体内に設けられた給水配管（３５ａ）と、
前記筐体内に設けられていて、前記貯湯タンクに貯留された前記温水を前記貯湯タンクの外部に取り出し可能に前記貯湯タンクと接続された給湯配管（３５ｄ）と、
前記給湯配管からの温水流入量と前記給水配管からの原水流入量とを調整可能に構成された電動調整弁であって、前記温水流入量と前記原水流入量との調整状態に応じた出湯温度の取出温水を排出するように設けられた温度調整弁（３５ｓ）と、
前記筐体に固定されていて、前記温度調整弁から排出された前記取出温水を前記筐体の外部に取り出し可能に、前記取出温水の通流経路を構成する温水取出配管（３５ｄ３）を介して前記温度調整弁と接続された温水取出部（３４）と、
前記温水取出配管における前記取出温水の流量である取出流量を調整可能に、前記取出温水の通流経路に設けられた流量調整部（３５ｕ、６１、６３）と、
前記取出流量に対応する出力を発生するように設けられた検出部（３８）と、
前記検出部における前記出力の特定の変化状態を検知した場合に前記調整状態を変更することで前記出湯温度を変更するように、前記検出部及び前記温度調整弁と電気接続された制御装置（３６）と、
をさらに備えている。
【０００７】
上記構成においては、前記温度調整弁における前記温水流入量と前記原水流入量との前記調整状態に応じた前記出湯温度の前記取出温水が、前記温度調整弁から前記温水取出配管を介して前記温水取出部に通流する。前記温水取出配管における前記取出温水の前記流量である前記取出流量は、前記流量調整部により調整可能である。よって、前記流量調整部により調整された前記取出流量で、前記温水取出部から前記取出温水が前記筐体の外部に取り出される。
【０００８】
前記温水取出部から前記取出温水が前記筐体の外部に取り出されると、前記検出器は、前記取出流量に対応する前記出力を発生する。前記制御装置は、前記検出部における前記出力の前記特定の前記変化状態を検知した場合に、前記温水流入量と前記原水流入量との前記調整状態を変更することで、前記出湯温度を変更する。
【０００９】
上記構成によれば、前記特定の前記変化状態に対応する前記取出流量の変化を、前記流量調整部により作出することで、前記出湯温度を変更することが可能となる。したがって、上記構成によれば、ユーザは、前記温水取出部における前記取出温水の取り出しを継続しつつ、前記出湯温度を変更することが可能となる。即ち、上記構成によれば、前記取出温水における前記出湯温度の変更の煩雑さが、良好に解消され得る。
【００１０】
なお、上記及び特許請求の範囲の欄における、各手段に付された括弧付きの参照符号は、同手段と後述する実施形態に記載の具体的手段との対応関係の一例を示すものである。よって、本発明の技術的範囲は、上記の参照符号の記載によって、何ら限定されるものではない。
【図面の簡単な説明】
【００１１】
【図１】実施形態に係る給湯システムの全体構成を示す概略図である。
【図２】図１に示された貯湯式給湯機の外観を示す斜視図である。
【図３】図１に示された貯湯側制御装置の一動作例を示すフローチャートである。
【図４】図１に示された貯湯側制御装置の一動作例を示すタイムチャートである。
【図５】図１に示された貯湯側制御装置の他の動作例を示すフローチャートである。
【図６】変形例に係る給湯システムの全体構成を示す概略図である。
【発明を実施するための形態】
【００１２】
（実施形態）
以下、本発明の実施形態を、図面に基づいて説明する。また、説明の便宜上、本実施形態の構成における、前後左右上下の各方向を、図中矢印で定義する。なお、「後」及び「後方」は、「背面」とも称され得る。また、一つの実施形態に対して適用可能な各種の変形例については、当該実施形態に関する一連の説明の途中に挿入されると当該実施形態の理解が妨げられるおそれがあるため、当該実施形態の説明の後にまとめて記載する。
【００１３】
（給湯システムの全体構成）
まず、給湯システム１の全体構成について説明する。図１を参照すると、給湯システム１は、家屋等の建物に設置されることで、建物の内外に設置された各種機器に温水を供給するように構成されている。具体的には、給湯システム１は、ヒートポンプユニット２と、貯湯式給湯機３と、混合栓４と、浴槽５とを備えている。
【００１４】
温水生成装置としてのヒートポンプユニット２は、屋外即ち建物の外側に設置されている。ヒートポンプユニット２は、給湯システム１の外部に設けられた給水源から導入された水道水である原水を含む低温水を加熱することで、温水を生成するように構成されている。低温水には、原水の他に、貯湯式給湯機３に貯留された、目標温度（例えば９０℃）よりも低温の水が含まれる。
【００１５】
具体的には、ヒートポンプユニット２は、ヒートポンプサイクル２１と熱源側制御装置２２とを備えている。ヒートポンプサイクル２１は、いわゆる蒸気圧縮式の構成を有していて、不図示の電動圧縮機、水冷媒熱交換器、膨張弁、冷媒蒸発器、等を備えている。本実施形態においては、ヒートポンプサイクル２１は、貯湯式給湯機３側から供給された低温水を、二酸化炭素等の冷媒からの放熱により加温するように構成されている。熱源側制御装置２２は、いわゆるマイクロコンピュータにより構成されていて、ヒートポンプサイクル２１の動作を制御するように設けられている。
【００１６】
貯湯式給湯機３は、屋外即ち建物の外側に設置されている。貯湯式給湯機３は、ヒートポンプユニット２により生成された温水を貯留するとともに、貯留した温水を各部に供給可能に構成されている。貯湯式給湯機３から温水の供給を受ける混合栓４及び浴槽５は、屋内即ち建物の内側に設置されている。
【００１７】
具体的には、貯湯式給湯機３は、筐体３１と、貯湯タンク３２と、複数の配管ジョイント３３と、温水取出部３４と、内部配管部３５と、貯湯側制御装置３６と、コントローラ３７と、流量センサ３８とを備えている。
【００１８】
筐体３１は、複数の金属製外壁パネルによって、箱状、具体的には上下方向に長手方向を有する略直方体状に形成されている。筐体３１は、複数の外壁パネルによって囲まれた内部空間内に貯湯タンク３２を収容するように構成されている。
【００１９】
図２を参照すると、筐体３１は、上面パネル３１ａと、底面パネル３１ｂと、側面パネル３１ｃと、前面パネル３１ｄとを有している。
【００２０】
上面パネル３１ａは、筐体３１の内部空間の上面を覆う外壁パネル部材であって、貯湯タンク３２の上方にて水平面に沿って延設されている。底面パネル３１ｂは、筐体３１の内部空間の底面を覆う外壁パネル部材であって、貯湯タンク３２の下方にて水平面に沿って延設されている。
【００２１】
側面パネル３１ｃは、筐体３１の内部空間の側方、具体的には側面及び背面を覆う外壁パネル部材であって、垂直方向に延設されている。即ち、側面パネル３１ｃは、貯湯タンク３２の側方を覆うように、上面パネル３１ａと底面パネル３１ｂとの間に設けられている。具体的には、３枚の側面パネル３１ｃが、平面視にて略Ｕ字状を形成するように配置されている。
【００２２】
前面パネル３１ｄは、筐体３１の内部空間の前面を覆う外壁パネル部材であって、垂直方向に延設されている。即ち、前面パネル３１ｄは、貯湯タンク３２の前方を覆うように、上面パネル３１ａと底面パネル３１ｂとの間に設けられている。具体的には、前面パネル３１ｄは、筐体３１の前面における上端部から高さ方向中央部にわたって設けられている。前面パネル３１ｄの下端部には、複数の配管ジョイント３３が設けられている。複数の配管ジョイント３３の詳細については後述する。
【００２３】
前面パネル３１ｄには、操作孔３１ｆ及び凹部３１ｇが形成されている。操作孔３１ｆは、略円形に形成された貫通孔であって、凹部３１ｇの上方に設けられている。操作孔３１ｆは、ユーザが後述する温水取出弁３５ｕを外側から操作可能に、温水取出弁３５ｕに対応する位置に設けられている。
【００２４】
凹部３１ｇは、前面パネル３１ｄから、筐体３１の内側に窪むように形成されている。凹部３１ｇには、温水取出部３４が設けられている。即ち、温水取出部３４は、前面パネル３１ｄに配設されている。温水取出部３４の詳細については後述する。
【００２５】
再び図１を参照すると、温水を貯留可能に構成された貯湯タンク３２は、耐食性に優れたステンレス等の金属によって形成されている。貯湯タンク３２は、不図示の断熱材によって覆われることで、内部に貯留した温水を長時間にわたって保温することができるように構成されている。
【００２６】
貯湯タンク３２は、設置スペースを考慮して、縦長形状に形成されている。具体的には、貯湯タンク３２は、筒状部３２ａと、下側閉塞部３２ｂと、上側閉塞部３２ｃとを有している。
【００２７】
筒状部３２ａは、水平断面視にて略円形状に形成された略円筒状の部分であって、上下方向に延設されている。筒状部３２ａの下端は、ドーム状の下側閉塞部３２ｂによって閉塞されている。筒状部３２ａの上端は、ドーム状の上側閉塞部３２ｃによって閉塞されている。即ち、貯湯タンク３２は、筒状部３２ａの上下を閉塞した構造を有している。
【００２８】
貯湯タンク３２は、冷水入口部３２ｄと、冷水出口部３２ｅと、温水入口部３２ｆと、温水出口部３２ｇとを有している。冷水入口部３２ｄ及び冷水出口部３２ｅは、下側閉塞部３２ｂに設けられている。温水入口部３２ｆ及び温水出口部３２ｇは、上側閉塞部３２ｃに設けられている。
【００２９】
筐体３１には、冷水導入ジョイント３３ａと、冷水導出ジョイント３３ｂと、温水導入ジョイント３３ｃと、混合栓給湯ジョイント３３ｄと、浴槽給湯ジョイント３３ｅと、を含む、複数の配管ジョイント３３が固定されている。複数の配管ジョイント３３は、筐体３１の外部に設けられた複数の外部配管と筐体３１の内部に設けられた内部配管部３５との接続箇所に設けられている。即ち、複数の配管ジョイント３３の各々は、貯湯式給湯機３と外部とを接続するための外部配管を着脱可能に構成されている。
【００３０】
冷水導入ジョイント３３ａは、貯湯タンク３２における冷水入口部３２ｄと接続されている。即ち、冷水導入ジョイント３３ａは、原水が通流する給水配管と接続されることで、貯湯タンク３２の底部に原水を供給するように設けられている。
【００３１】
冷水導出ジョイント３３ｂは、貯湯タンク３２における冷水出口部３２ｅと接続されている。即ち、冷水導出ジョイント３３ｂは、ヒートポンプユニット２における冷水取水口との接続配管と接続されることで、貯湯タンク３２の底部に貯留された低温水をヒートポンプユニット２に供給するように設けられている。
【００３２】
温水導入ジョイント３３ｃは、貯湯タンク３２における温水入口部３２ｆと接続されている。即ち、温水導入ジョイント３３ｃは、ヒートポンプユニット２における温水供給口との接続配管と接続されることで、ヒートポンプユニット２にて生成された温水を貯湯タンク３２に供給するように設けられている。
【００３３】
混合栓給湯ジョイント３３ｄ及び浴槽給湯ジョイント３３ｅは、貯湯タンク３２における温水出口部３２ｇと接続されている。即ち、混合栓給湯ジョイント３３ｄは、混合栓４との接続配管と接続されることで、混合栓４に温水を供給するように設けられている。同様に、浴槽給湯ジョイント３３ｅは、浴槽５との接続配管と接続されることで、浴槽５に温水を供給するように設けられている。
【００３４】
温水取出部３４は、筐体３１に固定されている。温水取出部３４は、屋外における貯湯式給湯機３の周囲にて温水を用いた作業（例えば洗車等）を行う際に、貯湯タンク３２に貯留された温水を筐体３１の外部に取り出し可能に設けられている。温水取出部３４から排出される温水を、以下「取出温水」と称する。
【００３５】
具体的には、温水取出部３４は、略円筒状に形成されている。図１及び図２を参照すると、温水取出部３４は、凹部３１ｇにて、筐体３１の外部に露出するように設けられている。温水取出部３４は、略全体が凹部３１ｇに収容されている。具体的には、温水取出部３４は、その全体が凹部３１ｇに収容されているか、あるいは、先端部の一部が筐体３１の外部に突出するだけでその他の大部分が凹部３１ｇに収容されている。
【００３６】
即ち、通常、筐体３１の外壁面と筐体３１を梱包する梱包材の内側面との間には、電源スイッチのカバーや設置工事説明書等を収容するための空間が形成されている。このため、温水取出部３４は、前面パネル３１ｄから全く突出しないか、あるいは、わずかに突出した部分が少なくとも筐体３１の外壁面と筐体３１を梱包する梱包材の内側面との間に形成される隙間に収まるように設けられている。
【００３７】
貯湯タンク３２と、温水取出部３４及び複数の配管ジョイント３３の各々とは、内部配管部３５を介して接続されている。以下、内部配管部３５の具体的構成について説明する。
【００３８】
貯湯タンク３２における冷水入口部３２ｄと、冷水導入ジョイント３３ａとは、給水配管３５ａを介して接続されている。即ち、給水配管３５ａは、筐体３１の外部に設けられた給水源に接続されることで原水を導入可能に、筐体３１内に設けられている。
【００３９】
同様に、貯湯タンク３２における冷水出口部３２ｅと、冷水導出ジョイント３３ｂとは、加温用水配管３５ｂを介して接続されている。また、貯湯タンク３２における温水入口部３２ｆと、温水導入ジョイント３３ｃとは、貯湯配管３５ｃを介して接続されている。
【００４０】
貯湯タンク３２における温水出口部３２ｇには、給湯配管３５ｄが接続されている。即ち、筐体３１内に設けられた給湯配管３５ｄは、貯湯タンク３２に貯留された温水を貯湯タンク３２の外部に取り出し可能に、貯湯タンク３２と接続されている。
【００４１】
給湯配管３５ｄは、下流側にて、混合栓給湯配管３５ｄ１と浴槽給湯配管３５ｄ２とに分岐している。混合栓給湯ジョイント３３ｄは、混合栓給湯配管３５ｄ１と接続されている。浴槽給湯ジョイント３３ｅは、浴槽給湯配管３５ｄ２と接続されている。また、混合栓給湯配管３５ｄ１から分岐するように、温水取出配管３５ｄ３が設けられている。温水取出配管３５ｄ３は、温水取出部３４と接続されている。
【００４２】
給水配管３５ａから分岐するように、分岐給水配管３５ｆが設けられている。分岐給水配管３５ｆは、下流側にて、混合栓側分岐管３５ｇ１と浴槽側分岐管３５ｇ２とに分岐している。混合栓側分岐管３５ｇ１は、混合栓給湯配管３５ｄ１における、浴槽給湯配管３５ｄ２との分岐位置よりも上流側の部分と接続されている。浴槽側分岐管３５ｇ２は、浴槽給湯配管３５ｄ２と接続されている。
【００４３】
給湯配管３５ｄから分岐するように、圧力リリーフ管３５ｈが設けられている。圧力リリーフ管３５ｈには、リリーフ弁３５ｒが介装されている。リリーフ弁３５ｒは、貯湯タンク３２の内部圧力が所定圧力以上に上昇した際に開弁することで、貯湯タンク３２の内部の温水を外部に排出するように設けられている。
【００４４】
混合栓給湯配管３５ｄ１と混合栓側分岐管３５ｇ１との接続箇所には、混合栓側温調弁３５ｓが介装されている。混合栓側温調弁３５ｓは、電動調整弁であって、給湯配管３５ｄ側に連通する温水側の開度と混合栓側分岐管３５ｇ１側に連通する原水側の開度との比率を、貯湯側制御装置３６の制御下で調整するように構成されている。即ち、温度調整弁である混合栓側温調弁３５ｓは、混合栓給湯配管３５ｄ１からの温水流入量と混合栓側分岐管３５ｇ１からの原水流入量との調整状態に応じた出湯温度の温水を、混合栓給湯ジョイント３３ｄ及び温水取出部３４に向けて排出するように設けられている。
【００４５】
浴槽給湯配管３５ｄ２と浴槽側分岐管３５ｇ２との接続箇所には、浴槽側温調弁３５ｔが介装されている。浴槽側温調弁３５ｔは、電動調整弁であって、給湯配管３５ｄ側に連通する温水側の開度と浴槽側分岐管３５ｇ２側に連通する原水側の開度との比率を、貯湯側制御装置３６の制御下で調整するように構成されている。即ち、浴槽側温調弁３５ｔは、混合栓給湯配管３５ｄ１からの温水流入量と混合栓側分岐管３５ｇ１からの原水流入量との調整状態に応じた出湯温度の温水を、浴槽給湯ジョイント３３ｅ側に送出するように設けられている。
【００４６】
上記の通り、温水取出部３４は、混合栓側温調弁３５ｓから排出された取出温水を筐体３１の外部に取り出し可能に、取出温水の通流経路を構成する温水取出配管３５ｄ３を介して混合栓側温調弁３５ｓと接続されている。また、温水取出配管３５ｄ３には、温水取出弁３５ｕが介装されている。温水取出弁３５ｕは、温水取出配管３５ｄ３における取出温水の流量である取出流量を調整可能に設けられている。具体的には、温水取出弁３５ｕは、手動調整弁であって、調整開度に応じた取出流量の取出温水を温水取出部３４側に送出するように構成されている。
【００４７】
貯湯側制御装置３６は、熱源側制御装置２２及びコントローラ３７と、信号授受可能に電気接続されている。また、貯湯側制御装置３６は、内部配管部３５に介装された混合栓側温調弁３５ｓ及び浴槽側温調弁３５ｔ等の各種制御対象機器と、信号授受可能に電気接続されている。
【００４８】
貯湯側制御装置３６は、いわゆるマイクロコンピュータであって、不図示のＣＰＵ、ＲＯＭ、ＲＡＭ、不揮発性ＲＡＭ、入出力インタフェース、等を備えている。即ち、貯湯側制御装置３６は、ＣＰＵがＲＯＭ又は不揮発性ＲＡＭからプログラムを読み出して実行することで、各種の制御動作を実現可能に構成されている。ＲＯＭ又は不揮発性ＲＡＭには、プログラムの実行の際に用いられる各種のデータが、予め格納されている。ＲＯＭ又は不揮発性ＲＡＭに予め格納される各種のデータは、例えば、初期値、ルックアップテーブル、マップ、等である。ＲＡＭは、ＣＰＵがプログラムを実行する際に、計算結果等のデータを一時的に格納するようになっている。不揮発性ＲＡＭは、例えば、フラッシュＲＯＭである。
【００４９】
貯湯側制御装置３６は、混合栓側温調弁３５ｓにおける調整状態を制御することで、混合栓４及び温水取出部３４に対する出湯温度を調整するように設けられている。同様に、貯湯側制御装置３６は、浴槽側温調弁３５ｔにおける調整状態を制御することで、浴槽５に対する出湯温度を調整するように設けられている。
【００５０】
コントローラ３７は、出湯温度の設定を含むユーザの入力操作を受け付ける入力装置であって、屋内及び／又は屋外の所定位置に設けられている。即ち、貯湯側制御装置３６は、コントローラ３７を介して受け付けたユーザ入力に応じて、上記の各種制御対象機器の動作を制御するように設けられている。
【００５１】
検出部としての流量センサ３８は、取出流量に対応する出力（例えば電圧）を発生するように、温水取出配管３５ｄ３に設けられている。流量センサ３８は、発生した出力を貯湯側制御装置３６に入力可能に、貯湯側制御装置３６と電気接続されている。本実施形態においては、貯湯側制御装置３６は、流量センサ３８における出力の特定の変化状態を検知した場合に、混合栓側温調弁３５ｓにおける調整状態を変更することで、温水取出部３４における取出温水の出湯温度を変更するように構成されている。
【００５２】
温水取出部３４は、外部配管を介して、取出温水を利用する温水利用部と接続可能に形成されている。例えば、温水利用部としてのシャワーヘッド６０は、操作ボタン６１を有している。操作ボタン６１は、シャワーヘッド６０からの取出温水の吐出の許可と停止とを切り換え可能に設けられている。シャワーヘッド６０は、外部取出配管６２を介して温水取出部３４と接続されるようになっている。
【００５３】
（動作概要）
次に、本実施形態の構成による動作概要及び効果について、温水取出部３４における取出温水の取り出し動作を中心として説明する。
【００５４】
給湯システム１が起動されると、貯湯タンク３２における貯留水量が所定量に到達するまで、給湯システム１の外部に設けられた給水源から原水が貯湯タンク３２に導入される。また、貯湯タンク３２の底部に貯留された低温水が、ヒートポンプユニット２に送出される。ヒートポンプユニット２に送出された低温水は、ヒートポンプサイクル２１によって加温されることで温水となる。ヒートポンプユニット２にて生成された温水は、貯湯タンク３２の上部に送出される。
【００５５】
給湯システム１の起動から所定時間経過後に、貯湯タンク３２に貯留された温水は、目標温度（例えば９０℃）に到達する。これにより、貯湯式給湯機３から各部への給湯が可能となる。
【００５６】
ユーザは、コントローラ３７を用いて、混合栓４及び浴槽５に対する出湯温度を設定する。貯湯側制御装置３６は、設定された出湯温度に基づいて、混合栓側温調弁３５ｓ及び浴槽側温調弁３５ｔにおける調整状態を制御する。これにより、混合栓４及び浴槽５に対する出湯温度が調整される。
【００５７】
ユーザが温水取出部３４から取出温水を取り出す場合、ユーザは、温水取出弁３５ｕを開弁操作する。すると、混合栓側温調弁３５ｓにおける温水流入量と原水流入量との調整状態に応じた出湯温度、且つ、温水取出弁３５ｕの開度に応じた取出流量の取出温水が、混合栓側温調弁３５ｓから温水取出配管３５ｄ３を介して温水取出部３４に通流し、温水取出部３４から排出される。
【００５８】
即ち、温水取出配管３５ｄ３における取出温水の流量である取出流量は、温水取出弁３５ｕ又はシャワーヘッド６０の操作ボタン６１を用いて調整可能である。よって、温水取出弁３５ｕ又はシャワーヘッド６０の操作ボタン６１を用いてにより調整された取出流量で、温水取出部３４から取出温水が筐体３１の外部に取り出される。温水取出部３４から取出温水が筐体３１の外部に取り出されると、流量センサ３８は、取出流量に対応する出力を発生する。
【００５９】
ユーザが、温水取出部３４から取出温水を取り出して利用している最中に、取出温水の出湯温度を変更したくなる場合がある。この場合、従来の給湯システム１及び貯湯式給湯機３においては、ユーザが取出温水の利用を一旦中断して、わざわざコントローラ３７の設置場所まで移動し、コントローラ３７における入力操作を行う必要があった。
【００６０】
この点、本実施形態においては、ユーザが温水取出部３４から取出温水を取り出して利用している最中に、取出温水の出湯温度を変更する場合、ユーザは、温水取出弁３５ｕ又はシャワーヘッド６０の操作ボタン６１を用いて、特定の取出流量の変化を作出する。すると、貯湯側制御装置３６は、流量センサ３８における出力の特定の変化状態を検知する。この場合、貯湯側制御装置３６は、混合栓側温調弁３５ｓを制御して、温水流入量と原水流入量との調整状態を変更することで、出湯温度を変更する。
【００６１】
図３のフローチャート及び図４のタイムチャートは、本実施形態による出湯温度変更の一具体例を示す。図中及び下記の説明において、「Ｓ」は「ステップ」の略である。また、貯湯側制御装置３６のＣＰＵ、ＲＯＭ、ＲＡＭ、及び不揮発性ＲＡＭを、以下単に、ＣＰＵ、ＲＯＭ、ＲＡＭ、及び不揮発性ＲＡＭと称する。
【００６２】
ＣＰＵは、流量センサ３８の出力Ｆが所定の第一閾値Ｆth1を超えた場合に、温水取出部３４からの出湯を検知し、ＲＯＭ又は不揮発性ＲＡＭから図３に示されたルーチンを読み出して起動する。このルーチンが起動されると、まず、Ｓ３１にて、ＣＰＵは、温水取出部３４からの出湯が一定時間（例えば３秒）検知されたか否かを判定する。具体的には、ＣＰＵは、流量センサ３８の出力に基づいて算出される取出流量の、一定時間内の積算値が、所定値を超えたか否かを判定する。
【００６３】
温水取出部３４からの出湯が一定時間検知された場合（即ちＳ３１＝Ｙｅｓ）、ＣＰＵは、処理をＳ３２に進行させる。一方、温水取出部３４からの出湯が一定時間検知されていない場合（即ちＳ３１＝Ｎｏ）、ＣＰＵは、処理をＳ３１に戻す。
【００６４】
Ｓ３２にて、ＣＰＵは、所定時間Ｔ内の流量変化を検知する。即ち、ＣＰＵは、所定時間Ｔ内の流量センサ３８の出力Ｆの変化状態を取得して、ＲＡＭに格納する。次に、Ｓ３３にて、ＣＰＵは、Ｓ３２にて検知した流量変化が特定の流量変化パターンに合致するか否かを判定する。即ち、ＣＰＵは、Ｓ３２にて取得した出力Ｆの変化状態が特定パターンであるか否かを判定する。
【００６５】
流量変化が特定の流量変化パターンに合致する場合（即ちＳ３３＝Ｙｅｓ）、ＣＰＵは、処理をＳ３４に進行させ、変化パターンに応じて出湯温度を変更する。具体的には、例えば、図４に示されているように、流量センサ３８の出力Ｆが第一閾値Ｆth1を超えた値から所定の第二閾値Ｆth2未満に一旦低下して再び第一閾値Ｆth1を超えた値に復帰するように、取出流量を調整する動作を、「絞り動作」と称する。また、所定時間Ｔ（例えば１秒）内における絞り動作の回数を、「絞り回数」と称する。本具体例においては、絞り回数が２回の場合、ＣＰＵは、出湯温度を１℃低下させる。一方、絞り回数が３回の場合、ＣＰＵは、出湯温度を１℃上昇させる。なお、流量変化が特定の流量変化パターンに合致しない場合（即ちＳ３３＝Ｎｏ）、ＣＰＵは、処理をＳ３１に戻す。
【００６６】
Ｓ３４の処理の後、ＣＰＵは、処理をＳ３５に進行させる。Ｓ３５にて、ＣＰＵは、温水取出部３４からの出湯が終了したか否かを判定する。具体的には、ＣＰＵは、流量センサ３８の出力Ｆが第二閾値Ｆth2未満の状態が、一定時間連続したか否かを判定する。温水取出部３４からの出湯が終了していない場合（即ちＳ３５＝Ｎｏ）、ＣＰＵは、処理をＳ３１に戻す。一方、温水取出部３４からの出湯が終了した場合（即ちＳ３５＝Ｙｅｓ）、ＣＰＵは、Ｓ３６の処理を実行後、本ルーチンを終了する。Ｓ３６にて、ＣＰＵは、出湯温度を、温水取出部３４からの出湯が開始される前の値に復帰させる。
【００６７】
上記構成によれば、流量センサ３８の出力Ｆにおける特定の変化状態に対応する、取出流量の変化を、温水取出弁３５ｕ又はシャワーヘッド６０の操作ボタン６１により作出することで、出湯温度を変更することが可能となる。したがって、上記構成によれば、ユーザは、温水取出部３４における取出温水の取り出しを継続しつつ、取出温水の出湯温度を変更することが可能となる。即ち、上記構成によれば、取出温水における出湯温度の変更の煩雑さが、良好に解消され得る。
【００６８】
（変形例）
本発明は、上記実施形態に限定されるものではない。故に、上記実施形態に対しては、適宜変更が可能である。以下、代表的な変形例について説明する。以下の変形例の説明においては、上記実施形態との相違点を主として説明する。また、上記実施形態と変形例とにおいて、互いに同一又は均等である部分には、同一符号が付されている。したがって、以下の変形例の説明において、上記実施形態と同一の符号を有する構成要素に関しては、技術的矛盾又は特段の追加説明なき限り、上記実施形態における説明が適宜援用され得る。
【００６９】
上記実施形態においては、絞り回数に応じて出湯温度の変化量を設定していた。具体的には、上記実施形態においては、絞り回数が２回の場合に出湯温度を１℃低下させる一方、絞り回数が３回の場合に出湯温度を１℃上昇させていた。しかしながら、本発明は、かかる態様に限定されない。
【００７０】
即ち、例えば、絞り回数が偶数の場合に回数に応じた度合いで出湯温度を上昇させる一方、絞り回数が奇数の場合に回数に応じた度合いで出湯温度を低下させてもよい。この場合、具体的には、絞り回数が１回で１℃低下、２回で１℃上昇、３回で２℃低下、４回で２℃上昇となる。
【００７１】
例えば、所定時間（例えば２秒）内における絞り動作の継続時間、即ち、流量センサ３８の出力Ｆが所定の第一閾値Ｆth1を超えた値から所定の第二閾値Ｆth2未満に一旦低下して再び第一閾値Ｆth1を超えた値に復帰するまでの経過時間に応じて、出湯温度が変更されてもよい。具体的には、例えば、絞り動作の継続時間が０．５秒以上１秒未満の場合に出湯温度を１℃低下させる一方、１．５秒以上２秒未満の場合に出湯温度を１℃上昇させてもよい。
【００７２】
例えば、絞り回数に応じて出湯温度が設定されてもよい。具体的には、例えば、屋外での洗濯又は洗車における適温を想定すると、絞り回数が２回の場合に出湯温度が現在の温度（例えば３５℃）から３０℃に変更される一方、絞り回数が３回の場合に出湯温度が現在の温度から４０℃に変更されてもよい。この場合、絞り回数と出湯温度との対応関係は、ＲＯＭ又は不揮発性ＲＡＭにあらかじめ格納される。即ち、貯湯側制御装置３６は、流量センサ３８の出力Ｆの変化状態と、あらかじめ記憶した変化状態と調整状態との対応関係とに基づいて、混合栓側温調弁３５ｓにおける調整状態を変更する。かかる構成によれば、流量センサ３８における出力の特定の変化状態の検知結果に基づく、混合栓側温調弁３５ｓにおける温水流入量と原水流入量との調整状態の変更が、良好に行われ得る。
【００７３】
例えば、貯湯側制御装置３６は、絞り回数を所定回数（例えば２回）検知する毎に、出湯温度を、３０℃と４０℃との間で交互に切り換えてもよい。あるいは、例えば、貯湯側制御装置３６は、絞り回数を所定回数（例えば２回）検知する毎に、出湯温度を、３０℃→４０℃→５０℃→３０℃→４０℃…のように、サイクリックに出湯温度を変更してもよい。
【００７４】
上記のように、貯湯側制御装置３６は、温水取出部３４からの出湯中における、流量センサ３８の出力Ｆの変化の回数及び／又は時間に基づいて、取出流量に特定の変化状態が発生したか否かを検知し、その検知結果に基づいて、混合栓側温調弁３５ｓにおける調整状態を変更する。即ち、貯湯側制御装置３６は、流量センサ３８の出力の変化の回数及び／又は時間に基づいて、出湯温度を変更する。これにより、流量センサ３８における出力の特定の変化状態が、良好に検知され得る。
【００７５】
流量センサ３８の出力は、取出流量に応じた電圧値の信号でもよいし、取出流量に応じたパルス数の矩形波パルスであってもよい。したがって、出湯温度又はその変化量は、電圧値又はパルス数の変化に基づいて決定され得る。
【００７６】
流量センサ３８の介装位置は、温水取出配管３５ｄ３に限定されない。例えば、流量センサ３８は、取出温水を利用する温水利用部側に介装され得る。
【００７７】
即ち、図１の例においては、流量センサ３８は、シャワーヘッド６０又は外部取出配管６２に介装された「外付け」のセンサであってもよい。かかる構成によれば、既存の給湯システム１に対して、外付けの流量センサ３８を追加するとともに、貯湯側制御装置３６における不揮発性ＲＡＭに格納されたプログラムをアップデートするだけで、既存の給湯システム１を本発明の効果を奏することが可能なシステム構成に改造することが可能となる。
【００７８】
既存の給湯システム１において、流量センサ３８が、温水取出配管３５ｄ３には介装されておらず、混合栓給湯配管３５ｄ１における温水取出配管３５ｄ３の分岐位置よりも上流側（即ち当該分岐位置と混合栓側温調弁３５ｓとの間）に介装されている場合があり得る。この場合、流量センサ３８の出力が、取出流量に対応するものであるのか、あるいは混合栓４への出湯流量に対応するものであるのか不明となる。
【００７９】
そこで、この場合、貯湯側制御装置３６は、コントローラ３７にてユーザによる許可入力操作を受け付けた場合に、流量センサ３８の出力の変化の回数及び／又は時間に基づいて出湯温度を変更する。かかる構成においては、流量センサ３８が温水取出配管３５ｄ３に介装されていないために流量センサ３８の出力が取出流量に対応するものであるのか否かが不明である場合であっても、流量センサ３８における出力の特定の変化状態を検知することによる、取出温水における出湯温度の変更が、適切に行われ得る。
【００８０】
図５は、本変形例に対応するフローチャートである。即ち、ＣＰＵは、流量センサ３８の出力Ｆが所定の第一閾値Ｆth1を超えた場合に、温水取出部３４からの出湯を検知し、ＲＯＭ又は不揮発性ＲＡＭから図５に示されたルーチンを読み出して起動する。このルーチンが起動されると、まず、Ｓ５０にて、ＣＰＵは、温水取出部３４における取出流量の変化に基づく出湯温度変更を許可するための、上記の許可入力操作が受け付けられているか否かを判定する。
【００８１】
まず、許可入力操作が受け付けられている場合（即ちＳ５０＝Ｙｅｓ）の動作について説明する。この場合、ＣＰＵは、処理をＳ５１に進行させる。Ｓ５１にて、ＣＰＵは、温水取出部３４からの出湯が一定時間（例えば３秒）検知されたか否かを判定する。具体的には、ＣＰＵは、流量センサ３８の出力に基づいて算出される取出流量の、一定時間内の積算値が、所定値を超えたか否かを判定する。
【００８２】
温水取出部３４からの出湯が一定時間検知された場合（即ちＳ５１＝Ｙｅｓ）、ＣＰＵは、処理をＳ５２に進行させる。一方、温水取出部３４からの出湯が一定時間検知されていない場合（即ちＳ５１＝Ｎｏ）、ＣＰＵは、処理をＳ５１に戻す。
【００８３】
Ｓ５２にて、ＣＰＵは、所定時間Ｔ内の流量変化を検知する。即ち、ＣＰＵは、所定時間Ｔ内の流量センサ３８の出力Ｆの変化状態を取得して、ＲＡＭに格納する。次に、Ｓ５３にて、ＣＰＵは、Ｓ５２にて検知した流量変化が特定の流量変化パターンに合致するか否かを判定する。即ち、ＣＰＵは、Ｓ５２にて取得した出力Ｆの変化状態が特定パターンであるか否かを判定する。
【００８４】
流量変化が特定の流量変化パターンに合致する場合（即ちＳ５３＝Ｙｅｓ）、ＣＰＵは、処理をＳ５４に進行させ、変化パターンに応じて出湯温度を変更する。一方、流量変化が特定の流量変化パターンに合致しない場合（即ちＳ５３＝Ｎｏ）、ＣＰＵは、処理をＳ５１に戻す。
【００８５】
Ｓ５４の処理の後、ＣＰＵは、処理をＳ５５に進行させる。Ｓ５５にて、ＣＰＵは、温水取出部３４からの出湯が終了したか否かを判定する。温水取出部３４からの出湯が終了していない場合（即ちＳ５５＝Ｎｏ）、ＣＰＵは、処理をＳ５０に戻す。一方、温水取出部３４からの出湯が終了した場合（即ちＳ５５＝Ｙｅｓ）、ＣＰＵは、Ｓ５６の処理を実行後、本ルーチンを終了する。Ｓ５６にて、ＣＰＵは、出湯温度を、温水取出部３４からの出湯が開始される前の値に復帰させる。
【００８６】
許可入力操作が受け付けられていない場合（即ちＳ５０＝Ｎｏ）、ＣＰＵは、処理をＳ５５に進行させる。
【００８７】
かかる構成によれば、既存の給湯システム１に対して、貯湯側制御装置３６における不揮発性ＲＡＭに格納されたプログラムをアップデートするだけで、既存の給湯システム１を本発明の効果を奏することが可能なシステム構成に改造することが可能となる。なお、上記動作例において、Ｓ５５の判定が「Ｎｏ」である場合、ＣＰＵは、処理をＳ５１に戻すようになっていてもよい。
【００８８】
図６に示されているように、外部取出配管６２には、電動式のアクチュエータ６３が介装されていてもよい。アクチュエータ６３には、温度操作部６４が設けられている。温度操作部６４は、取出温水の出湯温度の変更又は設定に関するユーザの入力操作を受け付けるように構成されている。アクチュエータ６３は、ユーザの入力操作に応じて、外部取出配管６２からシャワーヘッド６０への取出温水の流路断面積を変更することで、上記の絞り動作を実行可能に構成されている。
【００８９】
かかる構成においては、ユーザは、取出温水における出湯温度を変更する場合、温度操作部６４にて入力操作を行う。即ち、温度操作部６４は、取出温水の出湯温度の変更または設定を含む、ユーザの入力操作を受け付ける。シャワーヘッド６０側に設けられた電動式のアクチュエータ６３は、温度操作部６４にて受け付けた入力操作に基づき、取出温水の流量変化を作出する。貯湯側制御装置３６は、温水取出部３４と外部取出配管６２を介して接続されたシャワーヘッド６０側に設けられた電動式のアクチュエータ６３の動作に基づいて作出された取出温水の流量変化に応じて、流量センサ３８の出力の変化状態を検知し、検知した変化状態に基づいて、取出温水の出湯温度を変更する。したがって、かかる構成によれば、取出温水の出湯温度を変更するための、所定の流量変化の作出が、温水取出弁３５ｕ又はシャワーヘッド６０の操作ボタン６１を用いた人為的な方法よりも正確かつ繊細に行われ得る。
【００９０】
外部取出配管６２の接続先は、シャワーヘッド６０に限定されない。具体的には、例えば、外部取出配管６２の接続先は、洗濯機等の温水利用機器であってもよい。この場合、アクチュエータ６３及び温度操作部６４は、かかる温水利用機器に設けられ得る。
【００９１】
温水取出部３４は、側面パネル３１ｃに配設されていてもよい。
【００９２】
上記実施形態においては、ヒートポンプユニット２を備える給湯システム１に本発明の貯湯式給湯機３を適用する例について説明した。しかしながら、本発明は、かかる態様に限定されない。本発明の貯湯式給湯機３は、例えば、温水生成装置として電気ヒータ等の電熱装置を備える給湯システム１に対しても適用可能である。
【００９３】
変形例も、上記の例示に限定されない。また、複数の変形例が、互いに組み合わされ得る。さらに、上記実施形態の全部又は一部と、変形例の全部又は一部とが、互いに組み合わされ得る。
【００９４】
上記実施形態及び変形例を構成する要素は、特に必須であると明示した場合および原理的に明らかに必須であると考えられる場合等を除き、必ずしも必須のものではないことは言うまでもない。また、構成要素の個数、数値、量、範囲等の数値が言及されている場合、特に必須であると明示した場合および原理的に明らかに特定の数に限定される場合等を除き、その特定の数に本発明が限定されることはない。同様に、構成要素等の形状、方向、位置関係等が言及されている場合、特に必須であると明示した場合および原理的に特定の形状、方向、位置関係等に限定される場合等を除き、その形状、方向、位置関係等に本発明が限定されることはない。
【００９５】
（まとめ）
上述の実施形態の一部または全部で示された第１の観点において、給湯システムは、温水生成装置と貯湯式給湯機とを備えている。温水生成装置は、外部に設けられた給水源から導入された原水を含む低温水を加熱することで、温水を生成するように構成されている。貯湯式給湯機は、温水生成装置により生成された温水を貯留可能に構成された貯湯タンクを備えている。貯湯式給湯機は、筐体と、給水配管と、給湯配管と、温度調整弁と、温水取出部と、流量調整部と、検出部と、制御装置と、をさらに備えている。筐体は、貯湯タンクを収容するように構成されている。給水配管は、筐体の外部に設けられた給水源に接続されることで原水を導入可能に、筐体内に設けられている。給湯配管は、筐体内に設けられている。給湯配管は、貯湯タンクに貯留された温水を貯湯タンクの外部に取り出し可能に貯湯タンクと接続されている。温度調整弁は、給湯配管からの温水流入量と給水配管からの原水流入量とを調整可能に構成された電動調整弁であって、温水流入量と原水流入量との調整状態に応じた出湯温度の取出温水を排出するように設けられている。温水取出部は、筐体に固定されている。温水取出部は、温度調整弁から排出された取出温水を筐体の外部に取り出し可能に、取出温水の通流経路を構成する温水取出配管を介して温度調整弁と接続されている。流量調整部は、温水取出配管における取出温水の流量である取出流量を調整可能に、取出温水の通流経路に設けられている。検出部は、取出流量に対応する出力を発生するように温水取出配管に設けられている。制御装置は、検出部における出力の特定の変化状態を検知した場合に、温度調整弁における温水流入量と原水流入量との調整状態を変更することで出湯温度を変更するように、検出部及び温度調整弁と電気接続されている。
【００９６】
かかる構成によれば、検出部における出力の特定の変化状態に対応する、取出流量の変化を、流量調整部により作出することで、温水取出部における出湯温度を変更することが可能となる。したがって、かかる構成によれば、ユーザは、温水取出部における取出温水の取り出しを継続しつつ、温水取出部における出湯温度を変更することが可能となる。即ち、上記構成によれば、取出温水における出湯温度の変更の煩雑さが、良好に解消され得る。
【００９７】
第２の観点によれば、制御装置は、検出部における出力の特定の変化状態を、検出部における出力の変化の回数及び／又は時間に基づいて検知する。かかる構成によれば、検出部における出力の特定の変化状態が、良好に検知され得る。
【００９８】
第３の観点によれば、制御装置は、検出部における出力の特定の変化状態を検知した場合に、検知した変化状態と、あらかじめ記憶した変化状態と調整状態との対応関係とに基づいて、温度調整弁における温水流入量と原水流入量との調整状態を変更する。かかる構成によれば、検出部における出力の特定の変化状態の検知結果に基づく、温度調整弁における温水流入量と原水流入量との調整状態の変更が、良好に行われ得る。
【００９９】
第４の観点によれば、流量調整部は、温水取出部と外部配管を介して接続された温水利用部に設けられた電動式のアクチュエータである。温水利用部には、出湯温度の設定を含むユーザの入力操作を受け付ける温度操作部が設けられている。制御装置は、アクチュエータの動作に基づいて作出された取出温水の流量変化に応じて、検出部における出力の特定の変化状態を検知する。
【０１００】
かかる構成においては、ユーザは、取出温水における出湯温度を変更する場合、温度操作部にて入力操作を行う。温度操作部は、出湯温度の設定を含むユーザの入力操作を受け付ける。温水利用部に設けられた電動式のアクチュエータは、温度操作部にて受け付けた入力操作に基づき、取出温水の流量変化を作出する。制御装置は、温水取出部と外部取出配管を介して接続された温水利用部に設けられた電動式のアクチュエータの動作に基づいて作出された取出温水の流量変化に応じて、検出部の出力の変化状態を検知し、検知した変化状態に基づいて、取出温水の出湯温度を変更する。したがって、かかる構成によれば、取出温水の出湯温度を変更するための、所定の流量変化の作出が、正確かつ繊細に行われ得る。
【０１０１】
第５の観点においては、出湯温度の設定を含むユーザの入力操作を受け付ける入力装置がさらに設けられている。制御装置は、ユーザによる許可入力操作を受け付けた場合に、検出部における出力の特定の変化状態の検知に基づいて出湯温度を変更する。かかる構成においては、仮に検出部が温水取出配管に介装されていないために検出部の出力が取出流量に対応するものであるのか否かが不明である場合であっても、検出部における出力の特定の変化状態を検知することによる、取出温水における出湯温度の変更が、適切に行われ得る。
【符号の説明】
【０１０２】
１        給湯システム
３        貯湯式給湯機
３１      筐体
３２      貯湯タンク
３４      温水取出部
３５      内部配管部
３６      貯湯側制御装置
３８      流量センサ
６０      シャワーヘッド
６１      操作ボタン
【図１】
2019032136.tif 000003
【図２】
2019032136.tif 000004
【図３】
2019032136.tif 000005
【図４】
2019032136.tif 000006
【図５】
2019032136.tif 000007
【図６】
2019032136.tif 000008